(57)【要約】      （修正有）【課題】発声することによって最も振動が伝わる首周囲部に当接させ、正確な音声の音声信号を出力するハンドル付の咽喉マイクロホンを提供する。【解決手段】振動電気変換器３１と接触子３３を備える咽喉マイクロホン３０を円筒形のハンドル４０の一端部に取付け、ハンドル４０を手に持って咽喉マイクロホン３０を首周囲部に押し当て、咽喉マイクロホン３０の前記接触子３３側を声帯振動が最も良好に伝わる首周囲の皮膚表面に当接させ、明瞭度と感度の高い音声信号を出力させる構成とする。【選択図】図１
2005184194.tif 000002
【特許請求の範囲】
【請求項１】
首周囲の皮膚表面に当接させ、発声によって生ずる皮膚表面の振動を受振して音声信号に変換する咽喉マイクロホンにおいて、
ハンドルの一端部に咽喉マイクロホンを取付け、
ハンドルを手に把持して咽喉マイクロホンを首周囲の皮膚表面に当接させる構成としたことを特徴とするハンドル付の咽喉マイクロホン。
【請求項２】
請求項１に記載した咽喉マイクロホンにおいて、
ハンドルを円筒形又は角筒形の長径筒体として構成したことを特徴とするハンドル付の咽喉マイクロホン。
【請求項３】
請求項１又は２に記載した咽喉マイクロホンにおいて、
ハンドルにゴム製又は樹脂製のハンドルカバ−を設けたことを特徴とするハンドル付の咽喉マイクロホン。
【請求項４】
請求項１〜３のいずれかに記載した咽喉マイクロホンにおいて、
咽喉マイクロホンをハンドル一端部に取付け、咽喉マイクロホンを電気接続するコ−ドをハンドル他端部より引き出す構成としたことを特徴とするハンドル付の咽喉マイクロホン。
【請求項５】
請求項１〜４のいずれかに記載した咽喉マイクロホンにおいて、
ハンドルに手動操作することができるスイッチを設け、咽喉マイクロホンの電気接続を前記スイッチによりＯＮ、ＯＦＦさせる構成としたことを特徴とするハンドル付の咽喉マイクロホン。
【請求項６】
請求項１〜５のいずれかに記載した咽喉マイクロホンにおいて、
衣服のポケットなどに掛けるクリップをハンドルに設けたことを特徴とするハンドル付の咽喉マイクロホン。
【発明の詳細な説明】
【技術分野】
【０００１】
本発明は、首周囲の皮膚表面に当接させ、発声にしたがって生ずる皮膚表面の振動を受振して音声信号を出力するハンドル付の咽喉マイクロホンに関する。
【背景技術】
【０００２】
図５は咽喉マイクロホン１０の従来例を示す断面図である。
この咽喉マイクロホン１０は、振動電気変換器１１がケ−ス１２内に設けられ、この振動電気変換器１１の前側に接触子１３が突出している。
【０００３】
また、咽喉部周囲の皮膚表面に当接させる正面側が、接触子１３の前側を覆うようにしてケ−ス１２の側面に固着したゴムカバ−１４によって形成されている。
【０００４】
さらに、振動電気変換器１１に電気接続して音声信号を出力させる出力コ−ド１５がケ−ス１２の背面側に設けたコ−ドケ−ス１６より引き出されている。
なお、コ−ドケ−ス１６はケ−ス１２にねじ止めされている。
【０００５】
上記した咽喉マイクロホン１０は、図６に示すように、ネックバンド１７の一端部に取付けられ、このネックバンド１７を首にかけて装着する。
ネックバンド１７は、細長形の弾性板１８と、上記した出力コ−ド１５とを内装させた柔軟性材からなる管状のネックバンドカバ−１９より構成されている。
【０００６】
そして、弾性板１８の一端部には取付部２０が設けられ、咽喉マイクロホン１０がこの取付部２０に取付けられている。
また、弾性板１８の他端部にはネックパッド２１が取付けられ、さらに、出力コ−ド１５の先端側には出力プラグ２２が設けられている。
【０００７】
上記した咽喉マイクロホン１０は、図７に示す如く、ネックバンド１７を首２３にかけ、咽喉マイクロホン１０とネックパッド２１とで左右の首部を軽く挟持するようにして装着する。
このように装備することにより、咽喉マイクロホン１０が咽喉部周囲の皮膚表面２４に当接する。
【０００８】
したがって、発声によって生ずる咽喉部の声帯の振動が接触子１３によって受振され、受振による振動が振動電気変換器１１によって電気変換され、その電気変換信号が音声信号として出力プラグ２２より出力される。
【０００９】
ただ、上記の咽喉マイクロホン１０はネックバンド１７の一端部に固着されているために、最も良好な首部の受振位置にセットできないことがある。
すなわち、人によって咽喉部の寸法が異なること、また、人により声帯の振動が最も良好に伝わる皮膚表面位置が異なることなどのために、装着する人によって音声信号の感度、周波数特性が異なり、安定した音声信号を取り出すことができない。
【００１０】
ちなみに、人が発声する場合、声帯の振動のみによるものではなく、声道及び口腔の共振特性によって母音（ア、イ、ウ、エ、オ）を発音し、また、子音は口腔内の舌及び唇の位置と振動によって発音される。
したがって、このように発音される音声は、高調波を多く含んだのこぎり波の音声信号として咽喉マイクロホン１０より出力される。
【００１１】
このことから、咽喉マイクロホン１０によって音声を正確に取り出すには、咽喉マイクロホン１０を咽喉部周囲の皮膚表面の声帯に近い部分に当接させるのではなく、声道部及び口腔部に近いところ、つまり、咽喉部の上部か顎の下部などの皮膚表面等の音道及び口腔に近い位置に当接させる必要がある。
【００１２】
しかし、上記した従来の咽喉マイクロホン１０は、ネックバンド１７を首に巻くようにして装着し、かつ、ネックバンド１７に固着されているために、図７に示したように、咽喉部周囲の皮膚表面に当接され、声道部及び口腔部から離れた位置となり、音声の明瞭度、感度の低下する音声信号となる。
【００１３】
図８は上記のように装着する咽喉マイクロホン１０の音声信号を測定した測定結果を示した周波数特性図である。
なお、この周波数特性は、音声「あ」を発音したときの測定結果である。
この特性図から分かるように、中音部（８００Ｈｚ〜３ｋＨｚ）のレベルが低いために明瞭度が悪いことが分かる。
【特許文献１】特開２００１−１８９９９６号公報
【発明の開示】
【発明が解決しようとする課題】
【００１４】
上記したように、ネックバンド付の咽喉マイクロホンは、人によって咽喉部の寸法が異なったり、声帯の振動が最も良く伝わる皮膚表面位置が異なったりするため、安定した感度、周波数特性の音声信号を取り出すことができない。
【課題を解決するための手段】
【００１５】
本発明は上記の課題を解決するため、第１の発明として、首周囲の皮膚表面に当接させ、発声によって生ずる皮膚表面の振動を受振して音声信号に変換する咽喉マイクロホンにおいて、ハンドルの一端部に咽喉マイクロホンを取付け、ハンドルを手に把持して咽喉マイクロホンを首周囲の皮膚表面に当接させる構成としたことを特徴とするハンドル付の咽喉マイクロホンを提案する。
【００１６】
第２の発明としては、上記第１の発明の咽喉マイクロホンにおいて、ハンドルを円筒形又は角筒形の長径筒体として構成したことを特徴とするハンドル付の咽喉マイクロホンを提案する。
【００１７】
第３の発明としては、上記第１又は第２の発明の咽喉マイクロホンにおいて、ハンドルにゴム製又は樹脂製のハンドルカバ−を設けたことを特徴とするハンドル付の咽喉マイクロホンを提案する。
【００１８】
第４の発明としては、上記第１〜第３の発明のいずれかの咽喉マイクロホンにおいて、咽喉マイクロホンをハンドル一端部に取付け、咽喉マイクロホンを電気接続するコ−ドをハンドル他端部より引き出す構成としたことを特徴とするハンドル付の咽喉マイクロホンを提案する。
【００１９】
第５の発明としては、上記第１〜第４の発明のいずれかの咽喉マイクロホンにおいて、ハンドルに手動操作することができるスイッチを設け、咽喉マイクロホンの電気接続を前記スイッチによりＯＮ、ＯＦＦさせる構成としたことを特徴とするハンドル付の咽喉マイクロホンを提案する。
【００２０】
第６の発明としては、上記第１〜第５の発明のいずれかの咽喉マイクロホンにおいて、衣服のポケットなどに掛けるクリップをハンドルに設けたことを特徴とするハンドル付の咽喉マイクロホンを提案する。
【発明の効果】
【００２１】
第１又は第２の発明の咽喉マイクロホンによれば、ハンドルを手に持って咽喉マイクロホンを首周囲の適所に当接させることができる。
すなわち、発声による振動が最も的確に伝わる首周囲面部所、つまり、咽喉マイクロホンの当接位置を手によって調節して咽喉部の上部か顎の下部などの皮膚表面に当接させることができる。
【００２２】
このことから、人によって咽喉部の寸法や位置が異なり、声帯の振動が最も良好に伝わる皮膚表面位置が異なっていても、咽喉マイクロホンを最適な位置に当接させることができ、明瞭度、感度のよい音声信号を得ることができる。
【００２３】
また、咽喉マイクロホンはその正面を皮膚表面に正しく当接させることにより、振動が最も良く接触子に伝わる。
この点、本発明の咽喉マイクロホンによれば、ハンドルを首表面に垂直となるようにして当接させることにより、マイクロホン正面を皮膚表面に正しく当接することができる。
【００２４】
第３の発明の咽喉マイクロホンは、ハンドルにハンドルカバ−を設け、ハンドル把持の滑り止めをした構成となっている。
なお、ハンドルカバ−を交換できる構成とすれば、ハンドルカバ−が汚れたときなどに新らしいハンドルカバ−と交換することができる。
【００２５】
第４の発明の咽喉マイクロホンは、咽喉マイクロホンとは反対側となるハンドル他端部からコ−ドを引き出す構成としたので、ハンドルを把持して咽喉マイクロホンの当接操作を行なう場合に、コ−ドが邪魔にならない。
【００２６】
第５の発明の咽喉マイクロホンによれば、ハンドルを把持した手の手指によってスイッチ操作することができるので、咽喉マイクロホンのＯＮ、ＯＦＦ操作に便利となる。
【００２７】
第６の発明の咽喉マイクロホンは、クリップを使って衣服のポケットなどに掛けて携帯することができるので、使用頻度の多い場合などに便利となる。
【発明を実施するための最良の形態】
【００２８】
次に、本発明の一実施形態について図面に沿って説明する。
図１は（Ａ）は、本発明の一実施形態として示したハンドル付の咽喉マイクロホンを示す側面図、図１（Ｂ）は図１上の１Ａ−１Ａ線で切断した同咽喉マイクロホンの断面図、図２は咽喉マイクロホン自体を示した拡大断面図である。
【００２９】
図示するように、ハンドル４０の一端部に咽喉マイクロホン３０を取付けた構成となっているが、咽喉マイクロホン３０自体は図２に示すように、従来例同様の構成のものである。
【００３０】
すなわち、図２に示したように、咽喉マイクロホン３０は、振動電気変換器３１、ケ−ス３２、接触子３３、ゴムカバ−３４、出力コ−ド３５、コ−ドケ−ス３６などによって構成してある。
【００３１】
ハンドル４０は、金属材又は樹脂材で円筒形に形成したハンドル本体４１にハンドルカバ−４２を被せた構成としてある。
なお、ハンドルカバ−４２は、ゴム材又は樹脂材などを円筒形に形成し、ハンドル本体４１の外表面に装着させてある。
【００３２】
このハンドルカバ−４２は、ハンドル４０を把持したときの滑り止め作用をするものであるが、汚れたときなどに交換するために着脱自在に構成することができる。
【００３３】
上記したハンドル本体４１には、その上端部（一端部）に上蓋４３をねじ止めし、この上蓋４３に咽喉マイクロホン３０がねじ止めしてある。
なお、咽喉マイクロホン３０の出力コ−ド３５（コ−ド３５ａ、３５ｂ）は、上蓋４３に設けた中央孔４３ａを通してハンドル本体４１内に引き入れてある。
【００３４】
また、ハンドル本体４１の下端部（他端部）には下蓋４４をねじ止めし、この下蓋４４にコ−ド引出具４５とイヤホンシャッタ４６とが取付けてある。
【００３５】
さらに、ハンドル本体４１には、プッシュト−クスイッチ４７を装備し、このスイッチ４７の操作部がハンドルカバ−４２より操作可能に突出させてある。
このプッシュト−クスイッチ４７は、そのスイッチ端子に出力コ−ド３５のコ−ド３５ａを接続し、このプッシュト−クスイッチ４７のＯＮ、ＯＦＦ操作によって咽喉マイクロホンの電気接続を断続させる。
【００３６】
上記したコ−ド引出具４５は出力コ−ド３５と共に、イヤホンジャック４６に接続するイヤホンコ−ド４８を引き出し、外部機器に接続するようにしてある。
具体的には、イヤホンジャック４６に接続したイヤホンによって相手方の音声を聞きながら、咽喉マイクロホン３０より音声出力させることができるようになっている。
【００３７】
また、上記したハンドル４０にはクリップ４９を設け、咽喉マイクロホン３０を使用しないときは、作業服などの衣服にこのクリップ４９を掛けて携帯する。
なお、クリップ４９は、ハンドルカバ−４２に取り付けずに、ハンドル本体４１に固着し、クリップ４９の弾性部分４９ａをハンドルカバ−４２に形成した切欠部より突出させる構成とすることができる。
【００３８】
上記のように構成したハンドル付の咽喉マイクロホンは、図３に示す如く、ハンドル４０を手５０に持って咽喉マイクロホン３０を首２３の皮膚表面２４に当接させ、また、プッシュト−クスイッチ４７を手指で押し操作してＯＮさせて使用する。
具体的には、ハンドル４０を皮膚表面に直角に向くように把持し、咽喉部の上部か顎の下部などの首周囲部に押し当てるように咽喉マイクロホン３０の正面位置を調節する。
【００３９】
このように押し当てたハンドル付の咽喉マイクロホンは、声帯振動が最も良好に伝わる首周囲部の振動を受信することから、明瞭度と感度に優れる音声信号を出力する。
【００４０】
図４は上記のように使用するハンドル付の咽喉マイクロホンの音声信号を測定した測定結果を示す周波数特性図である。
なお、この周波数特性は、音声「あ」を発音したときの測定結果である。
【００４１】
この周波数特性から分かるように、中音部（８００Ｈｚ〜３ＫＨｚ）の間の音圧レベルが上昇し、かつ、高調波成分についても充分に取り出されている。
したがって、上記したハンドル付の咽喉マイクロホンによれば、明瞭度と感度の高い音を復元することができる音声信号を出力する。
【００４２】
以上、本発明の一実施形態について説明したが、咽喉マイクロホン３０のハンドル４０への取付構成は、係合凹部と係合爪部によって取付けてもよく、また、接着剤を使って取付け固着することもできる。
【産業上の利用可能性】
【００４３】
本発明に係るハンドル付の咽喉マイクロホンは、周囲の騒音が大きく、音声マイクロホンでは音声が騒音によって打ち消され、明瞭度の悪い音声信号となってしまう環境下で使用する。
例えば、飛行機の修理工場やトンネル内の工事現場などで対話するためのマイクロホンである。
【図面の簡単な説明】
【００４４】
【図１】図１（Ａ）は本発明の一実施形態であるハンドル付の咽喉マイクロホンを示す側面図である。  図１（Ｂ）は、図１（Ａ）上の１Ａ−１Ａ線に沿って切断した上記ハンドル付の咽喉マイクロホンの断面図である。
【図２】咽喉マイクロホン自体を示した拡大断面図である。
【図３】上記したハンドル付の咽喉マイクロホンの使用状態を示す図である。
【図４】上記したハンドル付の咽喉マイクロホンの周波数特性図である。
【図５】従来例として示した咽喉マイクロホンの拡大断面図である。
【図６】ネックバンドと、このネックバンドに取付けた従来の咽喉マイクロホンを示す図である。
【図７】従来の咽喉マイクロホンの装着状態を示す図である。
【図８】従来の咽喉マイクロホンの周波数特性図である。
【符号の説明】
【００４５】
３０  咽喉マイクロホン
３５  出力コ−ド
４０  ハンドル
４１  ハンドル本体
４２  ハンドルカバ−
４５  コ−ド引出具
４７  プッシュプト−クスイッチ
４９  クリップ
【図１】
2005184194.tif 000003
【図２】
2005184194.tif 000004
【図３】
2005184194.tif 000005
【図４】
2005184194.tif 000006
【図５】
2005184194.tif 000007
【図６】
2005184194.tif 000008
【図７】
2005184194.tif 000009
【図８】
2005184194.tif 000010